(57)【要約】【課題】簡易な構造で容易に線状材料を巻き取って輪状に作製することのできる線状材料の輪状巻取装置を提供すること。【解決手段】作業台１００に固定されている支持円筒部材１１と、この支持円筒部材に差し込まれて回転自在に軸支されている回転円筒部材２１とを備えており、回転円筒部材には、一端側にスリット２２が形成されるとともに他端側にハンドル２３を備える一方、支持円筒部材には、その回転円筒部材の一端側外面のスリットと平行に延長されて該一端側外面に対面するＵ字形状のガイド部１４とそこから内方に屈曲してその一端側端部に対向するストッパ部１５を有するガイド部材１２が固設されることにより、回転円筒部材のスリットに差し込まれて牽引・周回する線状材料を巻き付けて輪状にすることができる。【選択図】図１
2009137685.tif 000002
【特許請求の範囲】
【請求項１】
断面円形の外面を有する長尺部材に形成されて該円形の中心を回転軸として回転される回転部材と、前記回転部材を回転自在に軸支する支持部材と、を備えており、
前記回転部材に回転力を付与する入力手段が設けられているとともに、前記回転部材の外面で線状材料の端部を差し込み可能に開口して少なくとも一端側端部近傍まで連続するスリットが形成されていることを特徴とする線状材料の輪状巻取装置。
【請求項２】
前記支持部材は、前記回転部材を内装して回転自在に保持する筒状材料により作製されていることを特徴とする請求項１に記載の線状材料の輪状巻取装置。
【請求項３】
前記入力手段は、前記回転部材の他端側に固設されているハンドルであることを特徴とする請求項１または請求項２に記載の線状材料の輪状巻取装置。
【請求項４】
前記回転部材の一端側の外面に対面しつつ前記スリットに差し込まれて該回転部材と一体に回転する前記線状材料を当該回転部材の長さ方向にずれないように案内する案内部を１つ、または当該案内部の２つ以上を前記回転部材の長さ方向に並列するように設けられていることを特徴とする請求項１から請求項３のいずれか一項に記載の線状材料の輪状巻取装置。
【請求項５】
前記回転部材として一端側に前記スリットの形成されている回転円筒部材と、前記支持部材として前記回転円筒部材の外径よりも大径に形成されている内径を有して該回転円筒部材を内装して回転自在に軸支する支持円筒部材と、前記入力手段として前記回転円筒部材の他端側外面に立設されているハンドルと、前記支持円筒部材の一端側から前記回転円筒部材の一端側外面の前記スリットと平行に延長されて該一端側外面に対面した後に内方に向って屈曲することにより前記回転円筒部材の一端側端部に対向する硬質線状部材と、を備えており、
前記硬質線状部材は、前記回転円筒部材の一端側外面に対面する複数箇所が該外面の同一の周方向に屈曲することにより前記スリットに差し込まれて前記回転円筒部材と一体に回転する前記線状材料を当該回転円筒部材の長さ方向にずれないように案内する案内部を有することを特徴とする請求項１から請求項４のいずれか一項に記載の線状材料の輪状巻取装置。
【発明の詳細な説明】
【技術分野】
【０００１】
本発明は、線状材料の輪状巻取装置に関し、詳しくは、個別作業を行うときに便利に利用することができるように、予め線状材料を輪状に巻き取って準備しておく際に利用することのできるものに関する。
【背景技術】
【０００２】
従来、配電工事などの各種工事を行う場合には、ある程度の剛性を有する線条材料、例えば、ビニール被覆アルミ線、ビニール被覆銅線や裸軟銅線等をバインド線として用いて部材同士を連結する作業を行うときがある。
【０００３】
このようにバインド線を用いる作業は頻繁に必要であることから、使い易い径の輪状に線状材料を巻き取って予め作製しておくことが行われており、ある程度の長さに切断した線状材料を準備して人の手に巻き付けるようにすることで輪状に作製していた。
【０００４】
しかしながら、このように人手により作製するには、時間が掛かってしまい効率が悪いとともに、手の大きさなど個人差が出てしまって使い勝手が悪い場合がある。さらに、巻き始めと巻き終わりがはっきりせず、誤って巻き始め（内側）の線状材料の端部から引き出して使い始めてしまうと、線状材料間に噛み込まれてしまう場合がある。
【０００５】
このことから、線状材料を輪状に巻き取る装置を利用することも考えられるが、一般的な作製装置としては、大掛かりな巻取装置が存在するだけであり、とても工事などで部材同士を連結するためのバインド線を準備するためだけに購入などすることを検討する対象にはなり得ない（例えば、特許文献１参照）。
【特許文献１】特開２００２−３１６２１２号公報
【発明の開示】
【発明が解決しようとする課題】
【０００６】
そこで、本発明は、簡易な構造で容易に線状材料を巻き取って輪状に作製することのできる線状材料の輪状巻取装置を提供することを目的とする。
【課題を解決するための手段】
【０００７】
上記課題を解決する線状材料の輪状巻取装置の第１の発明は、断面円形の外面を有する長尺部材に形成されて該円形の中心を回転軸として回転される回転部材と、前記回転部材を回転自在に軸支する支持部材と、を備えており、前記回転部材に回転力を付与する入力手段が設けられているとともに、前記回転部材の外面で線状材料の端部を差し込み可能に開口して少なくとも一端側端部近傍まで連続するスリットが形成されていることを特徴とするものである。
【０００８】
この発明では、回転部材の外面に開口するスリットに線状材料の一端部を差し込んで、その回転部材に回転力を付与して回転させることにより、回転部材の外面の周方向にスリットを回転させてその外面に線状材料を巻き付けることができ、巻き取り終了後には、その線状材料を回転部材の一端側端部に向ってスリット内を移動させることにより、その一端側端部に開口するスリットから外方に離脱させることができる。したがって、線状材料を簡単に輪状に巻き取ることができるとともに、その巻き取り開始側の一端部が内方に屈曲している形状のまま外して使用することができる。
【０００９】
上記課題を解決する線状材料の輪状巻取装置の第２の発明は、上記第１の発明の特定事項に加え、前記支持部材は、前記回転部材を内装して回転自在に保持する筒状材料により作製されていることを特徴とするものである。
【００１０】
この発明では、断面円形の外面を有する回転部材を筒状の支持部材により回転自在に軸支する構造に設計される。したがって、例えば、円柱形状あるいは円筒形状の回転部材を円筒形状または角筒形状の支持部材内に差し込むだけで回転自在に軸支する状態に組み立てることができる。
【００１１】
上記課題を解決する線状材料の輪状巻取装置の第３の発明は、上記第１または第２の発明の特定事項に加え、前記入力手段は、前記回転部材の他端側に固設されているハンドルであることを特徴とするものである。
【００１２】
この発明では、回転部材の他端側に配設されているハンドルを把持して回転させることにより、その回転部材に回転力を付与して回転させることができる。したがって、モータなどにより回転部材に回転力を付与しても良いが、ハンドルを回転部材に固設するだけの簡素な構造で回転させることができる。
【００１３】
上記課題を解決する線状材料の輪状巻取装置の第４の発明は、上記第１から第３のいずれかの発明の特定事項に加え、前記回転部材の一端側の外面に対面しつつ前記スリットに差し込まれて該回転部材と一体に回転する前記線状材料を当該回転部材の長さ方向にずれないように案内する案内部を１つ、または当該案内部の２つ以上を前記回転部材の長さ方向に並列するように設けられていることを特徴とするものである。
【００１４】
この発明では、回転部材の一端側のスリットに一端部を差し込まれて周回する線状材料を案内部により一定の位置に案内しつつ巻き取ることができ、この案内部を複数備える場合には、線状材料の巻き取りを複数箇所で行うことができる。したがって、線状材料の巻き取り作業をより容易にすることができ、また、効率よく行うことができる。
【００１５】
上記課題を解決する線状材料の輪状巻取装置の第５の発明は、上記第１から第４のいずれかの発明の特定事項に加え、前記回転部材として一端側に前記スリットの形成されている回転円筒部材と、前記支持部材として前記回転円筒部材の外径よりも大径に形成されている内径を有して該回転円筒部材を内装して回転自在に軸支する支持円筒部材と、前記入力手段として前記回転円筒部材の他端側外面に立設されているハンドルと、前記支持円筒部材の一端側から前記回転円筒部材の一端側外面の前記スリットと平行に延長されて該一端側外面に対面した後に内方に向って屈曲することにより前記回転円筒部材の一端側端部に対向する硬質線状部材と、を備えており、前記硬質線状部材は、前記回転円筒部材の一端側外面に対面する複数箇所が該外面の同一の周方向に屈曲することにより前記スリットに差し込まれて前記回転円筒部材と一体に回転する前記線状材料を当該回転円筒部材の長さ方向にずれないように案内する案内部を有することを特徴とするものである。
【００１６】
この発明では、市販の円筒材料を購入して回転円筒部材と支持円筒部材とすることができ、その回転円筒部材の一端側に切り込みを入れてスリットを作製するとともにその他端側にハンドルを組み付ける一方、支持円筒部材には、屈曲させることによって回転円筒部材の一端側外面に対面して巻き付ける線状材料を一定の位置に案内する案内部が形成されているとともにその回転円筒部材の一端側端部に対向する部位を有する硬質線状部材を固定することにより、支持円筒部材内に差し込む回転円筒部材の端部を内方に屈曲する硬質線状部材に突き当たる状態にするだけで組み立てることができ、その回転円筒部材を硬質線状部材に突き当てつつ安定する状態で容易に回転させることができるとともに、その硬質線状部材に形成されている案内部で線状材料の巻き取り位置を安定させて輪状に巻き取らせることができる。したがって、安価に組み立てることができるとともに、容易かつ効率よく線状材料を巻き取って輪状に作製することができる。
【発明の効果】
【００１７】
このように本発明によれば、回転部材を支持部材に組み付けて回転させるだけの簡易な構造で、その回転部材のスリットに一端部を差し込んだ線状材料を容易に輪状に巻き取ることができ、その輪状に巻き取った線状材料を回転部材の外面から外方にずらすだけでそのスリットから離脱させてそのままの形状で容易に回収することができる。
【発明を実施するための最良の形態】
【００１８】
以下、本発明の最良の実施形態を図面に基づいて説明する。図１〜図５は本発明に係る線状材料の輪状巻取装置の一実施形態を示す図である。
【００１９】
図１において、線状材料の輪状巻取装置１０は、作業台１００に固定する支持円筒部材１１に回転円筒部材２１を回転自在に支持させるように組み立てられており、例えば、ビニール被覆アルミ線、ビニール被覆銅線や裸軟銅線などの線状材料Ｂをその回転円筒部材２１に巻き付けることにより、一定の径に巻かれている輪状のバインド線Ｂ（図５を参照）を準備することができる。
【００２０】
支持円筒部材１１は、図２に示すように、作業台１００の幅Ｗ程度の長さＬ１に、例えば、所望の内径Ｒ１を有する塩化ビニール製のパイプを準備して切断することにより作製されており、その作業台１００の両側側方に両端側端部が開口する姿勢になるようにＵ字型の固定金具１０１により回転・移動不能に固定されている。なお、この固定金具１０１は、両端部をネジ１０２によりネジ止めすることによりＵ字形状内に円筒部材などを固定することができる。
【００２１】
回転円筒部材２１は、図３に示すように、支持円筒部材１１の内部に容易に挿入して大きなガタなく内装する状態に差込可能な外径Ｒ２を有する、例えば、塩化ビニール製のパイプを準備して、その支持円筒部材１１よりも長尺になる長さＬ２に切断することにより作製されており、支持円筒部材１１内に差し込んで両端部を露出させる状態に内装させることにより回転可能に軸支されている。なお、回転円筒部材２１は、円筒形状に限らずに、円柱形状の部材に交換しても良いことは言うまでもなく、また、支持円筒部材１１は、断面角形状の内面を有して回転円筒部材２１を回転自在に内装する角筒形状の部材に交換しても良く、この場合には、外面が円形の支持円筒部材１１よりも安定した状態で作業台１００に固定することができる。
【００２２】
この回転円筒部材２１は、支持円筒部材１１の一端側から露出する外面に、その軸方向と平行なスリット２２がその軸心を中心とする両側に形成されており、この２本のスリット２２は、それぞれ一端側端部にまで連続して外部に連続して開口するように形成されている。
【００２３】
また、この回転円筒部材２１は、支持円筒部材１１の他端側から露出する外面でスリット２２と周方向に同一・反対側になる位置にハンドル２３が取り付けられており、このハンドル２３は、その法線方向に延長されている軸部２３ａを貫通させてその端部に形成されているネジ部２３ｂをナット２４に螺合させることにより回転円筒部材２１に直交する姿勢で固設されている。
【００２４】
これにより、回転円筒部材２１は、支持円筒部材１１内に差し込むだけで組み付けることができ、ハンドル２３が自重により最下の位置に位置する姿勢ではスリット２２が最上の位置になるように回転している。そして、この回転円筒部材２１は、ハンドル２３の軸部２３ａから直角に屈曲する把持部２３ｃを把持して周方向に回動させる（回転力を付与する）ことにより、その外面を支持円筒部材１１の内面に摺接させつつ回転させることができ、反対側のスリット２２を支持円筒部材１１から露出する状態で周方向に回転させることができる。
【００２５】
したがって、この輪状巻取装置１０は、これだけの構成でも、上側に位置するスリット２２に線状材料Ｂの端部を容易に差し込んで保持する位置を一定にしつつその線状材料Ｂが牽引されることを許容することにより、回転円筒部材２１の周方向に回転するスリット２２の形成外面に、線状材料Ｂを一定の径の輪状になるように一体に周回させて巻き付けることができる。この線状材料Ｂは、一定量巻き付けた後にはそのまま外方にスライドさせることにより、スリット２２から端部を離脱させて、輪状の内方に端部が屈曲する形状のまま落下・回収することができる。
【００２６】
一方、支持円筒部材１１には、軸方向と平行に延在するように硬質線状材料を加工したガイド部材（硬質線状部材）１２がその外面に固設されており、このガイド部材１２は、固定部１３と、ガイド部（案内部）１４と、ストッパ部１５とを備えるように加工されている。固定部１３は、直線状に延在して平行な姿勢で支持円筒部材１１の外面にバンド具１９により固定される。ガイド部１４（１４ａ、１４ｂ）は、この固定部１３からそのまま外方に延長されて回転円筒部材２１のスリット２２の形成されている一端側外面に対面するとともに、その一端側外面の一周方向に対面するＵ字形状になるように２箇所で屈曲されている。ストッパ部１５は、このガイド部１４の固定部１３の反対側端部から内方に向って直角に屈折されることによりその回転円筒部材２１の一端側端部の開口面に対向する。ここで、本実施形態では、ガイド部１４を２箇所設ける場合を一例に説明するが、これに限るものではなく、１箇所でもよく、また、より多くの複数箇所に形成してもよいことは言うまでもない。
【００２７】
これにより、回転円筒部材２１は、支持円筒部材１１内に差し込んでガイド部材１２のストッパ部１５に開口端部を突き当てるだけで、スリット２２を外部に露出させるとともにハンドル２３で安定して回転させることができる位置にセットすることができる。また、この回転円筒部材２１は、そのガイド部材１２のガイド部１４により囲まれている空間内のスリット２２に線状材料Ｂの端部を差し込んでそのガイド部１４のＵ字形状内面に摺接させるように線状材料Ｂを把持（保持）することにより、その線状材料Ｂを安定した位置で牽引させることができる。
【００２８】
したがって、この輪状巻取装置１０は、図５に示すように、回転円筒部材２１を安定回転させつつ、その周方向に回転させて外面に巻き付ける線状材料Ｂをガイド部材１２のガイド部１４により一定の位置に案内することができ、概略均等な幅で一定径の輪状に線状材料Ｂを巻いた状態にして使い勝手のよいバインド線Ｂを作製・準備することができる。また、このガイド部材１２には、２箇所のガイド部１４を有するので、２本の線状材料Ｂを一度に持って２箇所で巻き取る作業をすることもでき、２つのバインド線Ｂを同時に作製・準備することができる。なお、この作業は一人に限らず、２人以上で分担して行ってもよく、ハンドル２３担当と線状材料Ｂ担当とに分けてもよく、ガイド部１４が３箇所以上ある場合には、その線状材料Ｂ担当を２人以上にすればよい。
【００２９】
このように本実施形態においては、塩化ビニール製の円筒部材１１、２１を組み立てて作業台１００に固定する簡易な構造で、さらに、その支持円筒部材１１に硬質線状材料を屈曲加工しただけのガイド部材１２を取り付けるだけで、その回転円筒部材２１のスリット２２を形成した外面に線状材料Ｂを容易に輪状に巻き取ることができ、その一端部が内方に屈曲する形状のまま容易に回収することができる。したがって、線状材料Ｂを輪状に巻き取り加工したバインド線Ｂを容易かつ効率よく作製・準備することができ、そのバインド線Ｂの内方に屈曲する線状材料Ｂの一端部から誤って引き出して使用することを回避することができる。
【００３０】
ここで、本実施形態では、ハンドル２３により回転円筒部材２１を手動回転させる構造を一例に説明するが、これに限るものではなく、モータなどの駆動を回転円筒部材２１に伝達付与してスイッチでオン／オフするようにしてもよいことは言うまでもない。
【産業上の利用可能性】
【００３１】
これまで本発明の一実施形態について説明したが、本発明は上述の実施形態に限定されず、その技術的思想の範囲内において種々異なる形態にて実施されてよいことは言うまでもない。
【図面の簡単な説明】
【００３２】
【図１】本発明に係る線状材料の輪状巻取装置の一実施形態を示す図であり、その概略全体構成を示す斜視図である。
【図２】その一部品の支持円筒部材の構造を示す平面図である。
【図３】その一部品の回転円筒部材の構造を示す図であり、（ａ）はその一方向から見た平面図、（ｂ）はその（ａ）の直交方向から見た平面図である。
【図４】その一部品のガイド部材の構造を示す図であり、（ａ）はその一方向から見た平面図、（ｂ）はその（ａ）の直交方向から見た平面図である。
【図５】その組立・使用時の状態を示す円筒部材の軸方向から見た立面図である。
【符号の説明】
【００３３】
１０……輪状巻取装置    １１……支持円筒部材    １２……ガイド部材    １３……固定部    １４……ガイド部    １５……ストッパ部    １９……バンド具    ２１……回転円筒部材    ２２……スリット    ２３……ハンドル    ２４……ナット    １００……作業台    １０１……固定金具    Ｂ……線状材料
【図１】
2009137685.tif 000003
【図２】
2009137685.tif 000004
【図３】
2009137685.tif 000005
【図４】
2009137685.tif 000006
【図５】
2009137685.tif 000007